【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
絶対嫌気層の構成材料となる土質材料と、
この土質材料で生成された生成物が流入する嫌気空間を形成する中空部材とを備え、
土質材料及び中空部材を飼育水保持槽内に設け、土質材料に好気層および通性嫌気層の構成材料を隣接させて、
この飼育水保持槽内に飼育水を保持し、前記中空部材の内部を前記好気層の構成材料に隣接する空間に連通させたことを特徴とする水棲生物飼育システム。
【請求項２】
飼育水が前記空間から前記好気層および通性嫌気層の構成材料及び土質材料を経て前記中空部材の内部に流れ込み、当該中空部材の内部から前記空間に還流する循環を形成する請求項１に記載の水棲生物飼育システム。
【請求項３】
請求項１又は２に記載の水棲生物飼育システムに用いるものであって、
土質材料と、
この土質材料で生成された生成物が流入する嫌気空間を形成する中空部材と、好気層および通性嫌気層の構成材料と、飼育水保持槽と、中空部材の内部を前記好気層の構成材料に隣接する空間に連通させるための連通手段とを備えたことを特徴とする水棲生物飼育用具。
【請求項４】
絶対嫌気層の構成材料となる土質材料と、
この土質材料で生成された生成物が流入する嫌気空間を形成する中空部材とを備え、
土質材料及び中空部材を飼育水保持槽内に設け、土質材料に好気層および通性嫌気層の構成材料を隣接させて、
この飼育水保持槽内に飼育水を保持し、前記中空部材を前記好気層の構成材料に隣接する空間に連通させることによって、
好気層の構成材料に好気性細菌を増殖し、通性嫌気層の構成材料に通性嫌気性細菌を増殖し、土質材料に絶対嫌気性細菌を増殖して、有機物を生物濾過により無害化しつつ循環させることを特徴とする水棲生物飼育システムの構築方法。
【請求項５】
前記空間を光が届く有酸素状態の好気的な環境に保ち、前記土質材料を酸素がなく且つ光の届かない嫌気的な環境に保つ請求項４に記載の水棲生物飼育システムの構築方法。
【請求項６】
飼育水が前記空間から前記好気層および通性嫌気層の構成材料及び土質材料を経て前記中空部材の内部に流れ込み、当該中空部材の内部から前記空間に還流する循環を形成する請求項４又は５に記載の水棲生物飼育システムの構築方法。
【手続補正２】
【補正対象書類名】明細書
【補正対象項目名】発明の名称
【補正方法】変更
【補正の内容】
【発明の名称】水棲生物飼育システム、水棲生物飼育用具および水棲生物飼育システムの構築方法
【手続補正３】
【補正対象書類名】明細書
【補正対象項目名】０００１
【補正方法】変更
【補正の内容】
【０００１】
本発明は、濾過機能を補う装置を別途利用することなく、かつ半永久的ないし長期間に
亘って換水処理を不要とした水棲生物飼育システム、水棲生物飼育用具および水棲生物飼育システムの構築方法に関する。
【手続補正４】
【補正対象書類名】明細書
【補正対象項目名】０００６
【補正方法】変更
【補正の内容】
【０００６】
本発明は、水棲生物の排泄物等に由来する有害物質の堆積を抑制し、濾過機能を補う装
置を別途設けることなく半永久的ないし長期間に亘って換水処理を不要とした水棲生物飼
育システム、棲生物飼育用具および水棲生物飼育システムの構築方法を提供することを目的とする。
【手続補正５】
【補正対象書類名】明細書
【補正対象項目名】０００８
【補正方法】変更
【補正の内容】
【０００８】
すなわち、本発明の水棲生物飼育システムは、絶対嫌気層の構成材料となる土質材料と、この土質材料で生成された生成物が流入する嫌気空間を形成する中空部材とを備え、土質材料及び中空部材を飼育水保持槽内に設け、土質材料に好気層および通性嫌気層の構成材料を隣接させて、この飼育水保持槽内に飼育水を保持し、前記中空部材の内部を前記好気層の構成材料に隣接する空間に連通させたことを特徴とする。
【手続補正６】
【補正対象書類名】明細書
【補正対象項目名】０００９
【補正方法】変更
【補正の内容】
【０００９】
この場合、飼育水が前記空間から前記好気層および通性嫌気層の構成材料及び土質材料を経て前記中空部材の内部に流れ込み、当該中空部材の内部から前記空間に還流する循環を形成するのがよい。
【手続補正７】
【補正対象書類名】明細書
【補正対象項目名】００１０
【補正方法】変更
【補正の内容】
【００１０】
かかる水棲生物飼育システムに用いるものとしては、土質材料と、この土質材料で生成された生成物が流入する嫌気空間を形成する中空部材と、好気層および通性嫌気層の構成材料と、飼育水保持槽と、中空部材の内部を前記好気層の構成材料に隣接する空間に連通させるための連通手段とを備えた水棲生物飼育用具が挙げられる。
【手続補正８】
【補正対象書類名】明細書
【補正対象項目名】００１１
【補正方法】変更
【補正の内容】
【００１１】
また、本発明に係る棲生物飼育システムの構築方法は、絶対嫌気層の構成材料となる土質材料と、この土質材料で生成された生成物が流入する嫌気空間を形成する中空部材とを備え、土質材料及び中空部材を飼育水保持槽内に設け、土質材料に好気層および通性嫌気層の構成材料を隣接させて、この飼育水保持槽内に飼育水を保持し、前記中空部材を前記好気層の構成材料に隣接する空間に連通させることによって、好気層の構成材料に好気性細菌を増殖し、通性嫌気層の構成材料に通性嫌気性細菌を増殖し、土質材料に絶対嫌気性細菌を増殖して、有機物を生物濾過により無害化しつつ循環させることを特徴とする。
【手続補正９】
【補正対象書類名】明細書
【補正対象項目名】００１２
【補正方法】変更
【補正の内容】
【００１２】
この場合、前記空間を光が届く有酸素状態の好気的な環境に保ち、前記土質材料を酸素がなく且つ光の届かない嫌気的な環境に保つのがよい。
【手続補正１０】
【補正対象書類名】明細書
【補正対象項目名】００１３
【補正方法】変更
【補正の内容】
【００１３】
或いは、飼育水が前記空間から前記好気層および通性嫌気層の構成材料及び土質材料を経て前記中空部材の内部に流れ込み、当該中空部材の内部から前記空間に還流する循環を形成するのがよい。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
以上説明した本発明によれば、水棲生物の排泄物等を無害な物質に変換して循環させる
ことができることから、濾過機能を補う装置を別途設けることなく半永久的ないし長期間
に亘って換水処理を不要とした水棲生物飼育システム、棲生物飼育用具および水棲生物飼育システムの構築方法を提供することが可能である。